(57)【要約】【課題】プリント基板上に設けられた室内空気温度センサーによって室内熱交換器へ吸い込まれる空気温度を検出する場合、プリント基板上の熱伝導を小さく抑えるだけでは、精度の高い吸込み空気温度を検出することはできない場合があった。【解決手段】空気調和する対象環境の温度検出手段を配置するプリント基板上の実装部品を、通風路を確保するように配置し、被空調空間の温度検出手段をその通風路の略延長線上に位置することにより、安価で正確な温度検出が可能となる。【選択図】図２
2006132812.tif 000002
【特許請求の範囲】
【請求項１】
被空調空間の温度検出手段を配置するプリント基板上の実装部品を、通風路を確保するように配置し、前記温度検出手段は前記通風路の略延長線上に配設することを特徴とする空気調和機。
【請求項２】
通風路は略直線状に設けられ、温度検出手段及びプリント基板を包含する筐体の壁部に設けられた被空調空間の空気の取り込み孔の下流部に配設されることを特徴とする、請求項１に記載の空気調和機。
【請求項３】
温度検出手段は、プリント基板上で、かつ筐体壁部に最も近い場所に設けることを特徴とする、請求項１または２に記載の空気調和機。
【請求項４】
温度検出手段を配置するプリント基板は、熱交換器と空気調和機本体筐体の外壁との隙間に配設することを特徴とする、請求項１〜３のいずれかに記載の空気調和機。
【請求項５】
プリント基板に設ける通風路は、略水平方向に直線状に設けられ、空気調和機本体筐体の外壁に設けられた被空調空間の空気の取り込み孔と熱交換器との間に配設されることを特徴とする、請求項１〜４のいずれかに記載の空気調和機。
【請求項６】
空気調和機本体筐体の外壁に設けられた被空調空間の空気の取り込み孔は、熱交換器によって熱交換された風回路外の前記筐体壁部に配置することを特徴とする、請求項５に記載の空気調和機。
【請求項７】
プリント基板は、表示ユニットであることを特徴とする、請求項１〜６のいずれかに記載の空気調和機。
【発明の詳細な説明】
【技術分野】
【０００１】
本発明は、被空調空間の温度検出手段を有する空気調和機に関するものである。
【背景技術】
【０００２】
従来、被空調空間の温度については、熱交換器近傍に取付けられた被空調空間の温度検出手段、例えば温度センサーによって熱交換器へ吸い込まれる空気の温度を検出して、被空調空間の温度として採用していた（例えば、特許文献１参照）。また、プリント基板上に設けられた温度センサーによって空気温度を検出するものもある（例えば、特許文献２参照）。
【０００３】
図４は、特許文献２に記載された従来のプリント基板上に設けられた温度センサーを示すものである。図４に示すように、温度センサー６０の周囲にはスリット５６が設けられており、このスリット５６を設けたことにより、制御回路５５側から温度センサー６０側への熱伝導を小さく抑えた区画部５７が形成されている。従って、プリント基板５１上の制御回路５５が通電中に発生する熱は区画部５７によって温度センサー６０へ伝わりにくくなり、温度センサー６０の温度検知精度に与える影響度を最小限に食い止める作用を行っている。
【特許文献１】特開平６−２６６９０号公報
【特許文献２】特開２００１−２２１４８６号公報
【発明の開示】
【発明が解決しようとする課題】
【０００４】
しかしながら、前記従来の構成では、次のような課題があった。即ち、プリント基板上に設けられた温度センサーによって被空調空間の温度を検出する場合、プリント基板からの輻射熱量が大きい場合などプリント基板上の熱伝導を小さく抑えるだけでは、精度の高い被空調空間の温度を検出できない場合があった。また、プリント基板が直接、被空調空間内に晒されていないような、例えばプリント基板及び温度センサーが空調機のような筐体内に包含されている構造ではその精度はより低くなる。
【０００５】
一方、特許文献１に示すように、被空調空間の温度検出手段をプリント基板上ではなく、その外部で被空調空間に近い位置に配置することでより精度の高い温度測定が可能となるが、プリント基板から遠くすればするほど、コストアップ要因となる。
【０００６】
本発明は、前記従来の課題を解決するもので、コストを上げずに、より精度の高い温度測定を可能とする被空調空間の温度検出手段を有する空気調和機を提供することを目的とする。
【課題を解決するための手段】
【０００７】
前記従来の課題を解決するために本発明の空気調和機は、被空調空間の温度検出手段を配置するプリント基板上の実装部品を、通風路を確保するように配置し、被空調空間の温度検出手段はこの通風路の略延長線上に位置することを特徴とするものである。
【０００８】
これによって、プリント基板からの輻射熱などによる影響を減じ、安価でより正確な被空調空間の温度を検出することが可能となるものである。
【発明の効果】
【０００９】
本発明の空気調和機は、その空調制御のために重要な要素である被空調空間の温度を、部品や組立工数を増やすことなく、安価で且つより正確に検出することができる。
【発明を実施するための最良の形態】
【００１０】
第１の発明は、被空調空間の温度検出手段を配置するプリント基板上の実装部品を、通風路を確保するように配置し、被空調空間の温度検出手段をその通風路の略延長線上に配設することにより、プリント基板からの輻射熱などによる影響を減じ、通風路を通過する被空調空間の温度をより正確に検出することができる。
【００１１】
第２の発明は、その通風路は略直線状で、被空調空間の温度検出手段及びプリント基板を包含する筐体の壁部に設けられた被空調空間の空気の取り込み孔の下流部に配設されることにより、被空調空間の空気が通風路を流れ易くなるので、被空調空間の温度をより正確に検出することができる。
【００１２】
第３の発明は、被空調空間の温度検出手段は、プリント基板上で、かつ筐体壁部に最も近い場所に設けることによって、被空調空間の温度をより正確に検出することができる。
【００１３】
第４の発明は、被空調空間の温度検出手段を配置するプリント基板は、熱交換器と空気調和機本体筐体の外壁との隙間に配設することにより、被空調空間の温度をより正確に検出することができる。
【００１４】
第５の発明は、プリント基板に設ける通風路を略水平方向に直線状に設け、空気調和機本体筐体の外壁に設けられた空気取り込み孔と熱交換器との間に配設することにより、空気取り込み孔から吸い込まれる空気は熱交換器で交換された空気の影響を受けにくく、被空調空間の温度をより正確に検出することができる。
【００１５】
第６の発明は、空気取り込み孔を、熱交換器によって熱交換された風回路外の空気調和機本体筐体の壁部に配置することにより、空気取り込み孔から吸い込まれる空気は熱交換器で交換された空気の影響を受けにくく、空気温度をより正確に検出することができる。
【００１６】
第７の発明は、空気検出手段を配置するプリント基板は、表示ユニットと兼用することによって部品や組立工数を削減できるので低コスト化でき、空気取り込み孔から吸い込まれる空気は熱交換器で交換された空気の影響を受けにくく、空気温度をより正確に検出することができる。
【００１７】
以下、本発明の実施の形態について、図面を参照しながら説明する。尚、この実施の形態によって本発明が限定されるものではない。
【００１８】
（実施の形態１）
図１は、本発明の第１の実施の形態における前面グリルの斜視図、図２は、表示ユニットの斜視図、図３は、前面グリル上の表示ユニットの（ａ）斜視図（ｂ）側面断面図を示すものである。図において、空気調和機の室内ユニット８の一部である前面グリル１の内側には表示ユニット２と室内熱交換器３が配置されている。
【００１９】
ここで、表示ユニット２は、空気調和機本体の運転状況や、室内温度、運転時間などを表示する為の発光ダイオードや液晶等が実装されたプリント基板及びその取り付け部等で構成されており、ユーザーにその情報を知らせる為の表示とその制御等を行うユニットである。
【００２０】
表示ユニット２は室内熱交換器３と室内ユニット８の一部である前面グリル１の外壁７の間で且つ視認性向上の為により外壁７寄りに配設されている。
【００２１】
表示ユニット２上の実装部品は通風路６を確保するように配置されている。一方、室内空気温度センサー４は表示ユニット２上に設けられており、同時に通風路６の略延長線上に位置している。
【００２２】
この時、室内ユニット８への吸込み空気はこの通風路６上を流れるため、室内空気温度センサー４において室内空気温度を検出した場合、より正確な吸込み空気温度を検出することが可能となる。
【００２３】
また、表示ユニット２上に設ける通風路６は略水平方向に直線状に設けられており、さらに、表示ユニット２は、室内ユニット８の一部である前面グリル１の外壁７に設けられた吸込み空気スリット５と室内熱交換器３との間に配設されていることから、室内ユニット８に吸い込まれる空気は、室内熱交換器３によって熱交換され、室内ユニット８前面から吹き出す空気の影響を受けにくい空気であり、より室温を反映した正確な吸込み温度を検出することが可能となる。
【００２４】
また、室内空気温度センサー４は、表示ユニット２の上に位置しており、同時に室内ユニット８の一部である前面グリル１の外壁７に最も近い場所に設けてあることから、更に室内ユニット８内で発生する熱の影響を受けにくい、より室温を反映した正確な吸込み温度を検出することが可能となる。
【００２５】
また、表示ユニット２上に室内空気温度センサー４を設けることにより、従来の室内熱交換器３近傍に温度感熱部を固定していた場合と比べて、温度感熱部とプリント基板までの信号線が不要となり、低コスト化が実現可能となる。
【００２６】
なお、本実施の形態において、表示ユニット２の場所は室内熱交換器３の右側に設けられた例によって説明したが、室内熱交換器３の左側・上側・下側・手前側あるいは後ろ側の場合であっても構わず、上記場所に限定されるものではない。
【００２７】
また、本実施の形態において、室内空気取り込み孔として吸込み空気スリット５によって説明したが、大きく穴を開けたり、数多くの小さな穴を設けたり、格子状の穴を設けたりすることも可能であり、他の形状の場合であっても構わず、上記形状に限定されるものではない。
【００２８】
さらに、本実施の形態において、室内空気温度センサー４は表示ユニット２上に設けられているが、室内ユニット８の真上である必要はなく、センサーのリード線によって表示ユニット２をはみ出して、より外壁７に近い位置に温度感熱部を設けても構わず、上記場所に限定されるものではない。
【産業上の利用可能性】
【００２９】
以上のように、本発明にかかる空気調和機は、プリント基板上の実装部品を通風路を確保するように配置し、このプリント基板上に配置された温度検出手段は通風路の略延長線上に位置するよう設けられており、安価により正確な空気温度検出が可能となるので、空気調和機の室内ユニット、室外ユニット、リモコン等の用途や他の暖房機、或いは各種機器の冷却装置等の用途にも適用できる。
【図面の簡単な説明】
【００３０】
【図１】本発明の実施の形態１における前面グリルの斜視図
【図２】本発明の実施の形態１における表示ユニットの斜視図
【図３】本発明の実施の形態１における前面グリル上の表示ユニットの（ａ）斜視図（ｂ）側面断面図
【図４】従来の室内空気温度センサー平面図
【符号の説明】
【００３１】
１  前面グリル
２  表示ユニット
３  室内熱交換器
４  室内空気温度センサー
５  吸込み空気スリット
６  通風路
７  前面グリル外壁
８  室内ユニット
【図１】
2006132812.tif 000003
【図４】
2006132812.tif 000004
【図２】
2006132812.tif 000005
【図３】
2006132812.tif 000006